(57)【要約】【課題】簡素な構造でありながら、カードを確実に検知することができ、誤作動がなく、部品点数が増加することがなく、製作が容易で、製造コストが低く、信頼性を向上させることができるようにする。【解決手段】端子部材を備えるカードを収容するハウジングと、ハウジングに取付けられ、カードの端子部材と接触する接続端子と、互いに接離してカードがハウジングに挿入されたことを検知する第１接点部材及び第２接点部材を備える検知スイッチとを有するカード用コネクタであって、第１接点部材及び第２接点部材の少なくとも一方は、ハウジングに固定される固定部と、ハウジングに対して変位可能であって、ハウジングと凹凸嵌合する可動部とを備える。【選択図】図１
2011124001.tif 000002
【特許請求の範囲】
【請求項１】
（ａ）端子部材を備えるカードを収容するハウジングと、
（ｂ）該ハウジングに取付けられ、前記カードの端子部材と接触する接続端子と、
（ｃ）互いに接離して前記カードがハウジングに挿入されたことを検知する第１接点部材及び第２接点部材を備える検知スイッチとを有するカード用コネクタであって、
（ｄ）前記第１接点部材及び第２接点部材の少なくとも一方は、前記ハウジングに固定される固定部と、前記ハウジングに対して変位可能であって、前記ハウジングと凹凸嵌合する可動部とを備えることを特徴とするカード用コネクタ。
【請求項２】
前記固定部は前記ハウジングの壁部に固定され、
前記可動部は、前記壁部の面に対して垂直な方向に変位可能であり、前記カードがハウジングに挿入されると、前記壁部に接近する方向に変位する請求項１に記載のカード用コネクタ。
【請求項３】
前記可動部及び壁部の一方は嵌合凸部を備え、他方は前記嵌合凸部が嵌入する嵌合凹部を備える請求項２に記載のカード用コネクタ。
【請求項４】
前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力によって、前記カードをオーバーストローク位置から挿入方向と反対の方向に移動させて排出するカード案内機構を更に有し、
前記可動部は、前記カードが少なくとも前記ロック位置とオーバーストローク位置との間にあるときは前記ハウジングと凹凸嵌合する請求項１〜３のいずれか１項に記載のカード用コネクタ。
【請求項５】
前記ハウジングに取付けられ、少なくとも該ハウジングに挿入されたカードの一部を覆うカバー部材を更に有し、
前記可動部は、前記ハウジングと凹凸嵌合することによって、少なくとも前記カバー部材に接近する方向に変位することが防止される請求項１〜４のいずれか１項に記載のカード用コネクタ。
【請求項６】
前記第１接点部材は、前記固定部と可動部とを備え、
該可動部は、基端が前記固定部に接続されたカンチレバー状の本体部と、該本体部の自由端に接続されるとともに、前記第２接点部材と接触可能な接触部及び前記ハウジングに挿入されたカードと当接するカード当接部とを備える請求項１〜５のいずれか１項に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｍｕｌｔｉ  Ｍｅｄｉａ  Ｃａｒｄ）（Ｒ）、ＳＤ（Ｓｅｃｕｒｅ  Ｄｉｇｉｔａｌ）（Ｒ）カード、ｍｉｎｉＳＤ（Ｒ）カード、ｘＤピクチャーカード（ｘＤ−Ｐｉｃｔｕｒｅ  ｃａｒｄ）（Ｒ）、メモリスティック（Ｒ）、スマートメディア（Ｒ）、マイクロＳＤ（Ｒ）カード等の各種メモリカードを利用するために、カード用コネクタを備えている（例えば、特許文献１参照。）。
【０００３】
図８は従来のカード用コネクタを示す斜視図である。
【０００４】
図において、８１１はカード用コネクタの絶縁性ハウジングであり、図示されないメモリカードの先端が図における左下から右上に向けて挿入される。なお、絶縁性ハウジング８１１の上側には、金属板から成るシェルが取付けられるが、ここでは、内部の構成を示すためにシェルが省略されている。
【０００５】
そして、前記絶縁性ハウジング８１１には、複数の端子８５１が取付けられ、該端子８５１がメモリカードのコンタクトパッドと接触する。また、８２１はカードイジェクト機構におけるスライダであり、突起部がメモリカードの一部と係合し、絶縁性ハウジング８１１の側壁８１１ｃに沿ってスライドする。なお、前記スライダ８２１は、コイルスプリング８８１によって、図における左下に向けて付勢されている。
【０００６】
さらに、絶縁性ハウジング８１１の奥壁８１１ａには、メモリカードの有無を検知するための検知スイッチが配設されている。該検知スイッチは、弾性を備える第１可動接点部材８５２と同じく弾性を備える第２可動接点部材８５３とを有し、図に示されるように、絶縁性ハウジング８１１内にメモリカードが挿入されていない状態では、第１可動接点部材８５２と第２可動接点部材８５３とが互いに離間してＯＦＦになっている。そして、絶縁性ハウジング８１１内にメモリカードが挿入されると、該メモリカードの先端部によって押されることにより、第１可動接点部材８５２及び第２可動接点部材８５３が変位して互いに接触し、検知スイッチがＯＮとなる。これにより、メモリカードが挿入されたことが検出される。
【先行技術文献】
【特許文献】
【０００７】
【特許文献１】特開２００８−８４６２４号公報
【発明の概要】
【発明が解決しようとする課題】
【０００８】
しかしながら、前記従来のカード用コネクタにおいては、第１可動接点部材８５２及び第２可動接点部材８５３は、細長い板材から成り、その基端が固定されるとともに、該基端から遠く離れた自由端が変位するようになっている。そのため、例えば、カード用コネクタが装着された携帯電話機等の電子機器が床に落下した場合のように、カード用コネクタが強い衝撃を受けると、第１可動接点部材８５２又は第２可動接点部材８５３の自由端が振動し、検知スイッチが誤作動してしまうことがある。
【０００９】
例えば、振動によって第１可動接点部材８５２及び第２可動接点部材８５３の自由端同士が絡合って接触し続け、メモリカードが挿入されていないにも拘（かか）わらず検知スイッチがＯＮのままになったり、第１可動接点部材８５２又は第２可動接点部材８５３の先端が上方に変位してグランドラインに接続されているシェルに接触し、メモリカードが挿入されているにも拘わらず検知スイッチがＯＦＦになったり、第１可動接点部材８５２及び第２可動接点部材８５３の先端同士の絡合いが解消されず、初期状態である検知スイッチがＯＦＦの状態に二度と復帰することができなくなったりすることがある。
【００１０】
もっとも、第１可動接点部材８５２及び第２可動接点部材８５３の長さを短くすれば、自由端の変位量が小さくなるので、このような問題をある程度防止することができる。しかし、検知スイッチの信頼性を維持するには、第１可動接点部材８５２及び第２可動接点部材８５３の自由端におけるばねの接圧が必要となるので、ばね長を確保するために第１可動接点部材８５２及び第２可動接点部材８５３の長さを長くしなければならない。また、第１可動接点部材８５２及び第２可動接点部材８５３の自由端の変位量は、図に示される位置からメモリカードが最も奥まで押込まれた位置までであり、極めて大きい。そのため、自由端が大きく変位しても第１可動接点部材８５２及び第２可動接点部材８５３が永久変形しないようにするには、第１可動接点部材８５２及び第２可動接点部材８５３の長さを長くして、その単位長さ当たりの変形量が大きくなり過ぎないようにする必要がある。
【００１１】
本発明は、前記従来のカード用コネクタの問題点を解決して、互いに接離してカードを検知する検知スイッチとして機能する第１接点部材及び第２接点部材の少なくとも一方が可動部においてハウジングと凹凸嵌（かん）合するようにして、簡素な構造でありながら、カードを確実に検知することができ、誤作動がなく、部品点数が増加することがなく、製作が容易で、製造コストが低く、信頼性の高いカード用コネクタを提供することを目的とする。
【課題を解決するための手段】
【００１２】
そのために、本発明のカード用コネクタにおいては、端子部材を備えるカードを収容するハウジングと、該ハウジングに取付けられ、前記カードの端子部材と接触する接続端子と、互いに接離して前記カードがハウジングに挿入されたことを検知する第１接点部材及び第２接点部材を備える検知スイッチとを有するカード用コネクタであって、前記第１接点部材及び第２接点部材の少なくとも一方は、前記ハウジングに固定される固定部と、前記ハウジングに対して変位可能であって、前記ハウジングと凹凸嵌合する可動部とを備える。
【００１３】
本発明の他のカード用コネクタにおいては、さらに、前記固定部は前記ハウジングの壁部に固定され、前記可動部は、前記壁部の面に対して垂直な方向に変位可能であり、前記カードがハウジングに挿入されると、前記壁部に接近する方向に変位する。
【００１４】
本発明の更に他のカード用コネクタにおいては、さらに、前記可動部及び壁部の一方は嵌合凸部を備え、他方は前記嵌合凸部が嵌入する嵌合凹部を備える。
【００１５】
本発明の更に他のカード用コネクタにおいては、さらに、前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力によって、前記カードをオーバーストローク位置から挿入方向と反対の方向に移動させて排出するカード案内機構を更に有し、前記可動部は、前記カードが少なくとも前記ロック位置とオーバーストローク位置との間にあるときは前記ハウジングと凹凸嵌合する。
【００１６】
本発明の更に他のカード用コネクタにおいては、さらに、前記ハウジングに取付けられ、少なくとも該ハウジングに挿入されたカードの一部を覆うカバー部材を更に有し、前記可動部は、前記ハウジングと凹凸嵌合することによって、少なくとも前記カバー部材に接近する方向に変位することが防止される。
【００１７】
本発明の更に他のカード用コネクタにおいては、さらに、前記第１接点部材は、前記固定部と可動部とを備え、該可動部は、基端が前記固定部に接続されたカンチレバー状の本体部と、該本体部の自由端に接続されるとともに、前記第２接点部材と接触可能な接触部及び前記ハウジングに挿入されたカードと当接するカード当接部とを備える。
【発明の効果】
【００１８】
本発明によれば、カード用コネクタは、互いに接離してカードを検知する検知スイッチとして機能する第１接点部材及び第２接点部材の少なくとも一方が可動部においてハウジングと凹凸嵌合するようになっている。これにより、簡素な構造でありながら、カードを確実に検知することができ、誤作動がなく、部品点数の増加を防止し、製作を容易化して、製造コストを低減し、信頼性を向上させることができる。
【図面の簡単な説明】
【００１９】
【図１】本発明の第１の実施の形態におけるカード用コネクタの斜視図であって、（ａ）はシェルを取付けた状態を示す図、（ｂ）はシェルを取除いた状態を示す図である。
【図２】本発明の第１の実施の形態における第１接点部材とハウジングとの凹凸嵌合の一連の動作を示す斜視図であって、（ａ）はオーバーストローク位置の状態、（ｂ）はロック位置の状態、（ｃ）はカード仮保持位置の状態を示し、添字の１はシェル及びカードを取除いた状態を示し、添字の２はシェルを取除いた状態を示している。
【図３】本発明の第１の実施の形態における第１接点部材とハウジングとの凹凸嵌合の一連の動作を示す要部拡大図であって、（ａ）はオーバーストローク位置の状態、（ｂ）はロック位置の状態、（ｃ）はカード仮保持位置の状態を示す図である。
【図４】本発明の第２及び第３の実施の形態における第１接点部材とハウジングとの凹凸嵌合の構造を示す斜視図であって、（ａ）は本発明の第２の実施の形態を示し、（ｂ）は本発明の第３の実施の形態を示し、添字の１は要部拡大図を示し、添字の２は全体図を示している。
【図５】本発明の第４及び第５の実施の形態における第１接点部材とハウジングとの凹凸嵌合の構造を示す斜視図であって、（ａ）は本発明の第４の実施の形態を示し、（ｂ）は本発明の第５の実施の形態を示し、添字の１は要部拡大図を示し、添字の２は全体図を示している。
【図６】本発明の第６及び第７の実施の形態における第１接点部材とハウジングとの凹凸嵌合の構造を示す斜視図であって、（ａ）は本発明の第６の実施の形態を示し、（ｂ）は本発明の第７の実施の形態を示し、添字の１は要部拡大図を示し、添字の２は全体図を示している。
【図７】本発明の第８及び第９の実施の形態における第１接点部材及び第２接点部材とハウジングとの凹凸嵌合の構造を示す斜視図であって、（ａ）は本発明の第８の実施の形態を示し、（ｂ）は本発明の第９の実施の形態を示し、添字の１は要部拡大図を示し、添字の２は全体図を示している。
【図８】従来のカード用コネクタを示す斜視図である。
【発明を実施するための形態】
【００２０】
以下、本発明の実施の形態について図面を参照しながら詳細に説明する。
【００２１】
図１は本発明の第１の実施の形態におけるカード用コネクタの斜視図である。なお、図において、（ａ）はシェルを取付けた状態を示す図、（ｂ）はシェルを取除いた状態を示す図である。
【００２２】
図において、１は本実施の形態におけるカード用コネクタであり、図示されない電子機器に取付けられる。そして、前記カード用コネクタ１の内部には後述されるカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２３】
また、前記カード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔ−Ｆｌａｓｈ（Ｔｒａｎｓ−Ｆｌａｓｈ）メモリカード、マイクロＳＤ（Ｒ）カード等のＩＣカードであり、いかなる種類のカードであってもよいが、本実施の形態においては、マイクロＳＤ（Ｒ）カードであるものとして説明する。
【００２４】
なお、本実施の形態において、カード用コネクタ１の各部の構成及び動作を説明するために使用される上、下、左、右、前、後等の方向を示す表現は、絶対的なものでなく相対的なものであり、カード用コネクタ１又はその部品が図に示される姿勢である場合に適切であるが、カード用コネクタ１又はその部品の姿勢が変化した場合には、姿勢の変化に応じて変更して解釈されるべきものである。
【００２５】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル６１とを有する。該シェル６１は、ハウジング１１及び該ハウジング１１に収容されたカード１０１の少なくとも一部の上方を覆うようになっている。そして、前記カード用コネクタ１は、概略、扁（へん）平な直方体形状を備え、前記電子機器に取付けられ、前方（図における右下方）からカード１０１が挿入される。
【００２６】
なお、図１（ｂ）は、説明のためにシェル６１を除去した状態のハウジング１１の斜視図である。
【００２７】
図に示されるように、ハウジング１１は、カード１０１の挿入方向に関して手前側となる前縁側（図における左上側）が略Ｕ字状又は略コ字状に切取られた形状を備える壁部としての底壁部１１ｂ、及び、該底壁部１１ｂの奥部において奥側（図における右下側）の縁に沿って延在し、底壁部１１ｂから立設する壁部としての奥壁部１１ａを有する。ここで、底壁部１１ｂは、上面に接続端子としての端子５１が取付けられた端子保持部１１ｅを備える。該端子保持部１１ｅの上面には、前後方向（図における左上と右下とを結ぶ方向）に延在するように形成された端子装填（てん）溝が複数形成され、各端子装填溝に端子５１が挿入されて取付けられている。
【００２８】
そして、該端子５１は、その基部５１ａが前記端子装填溝内に取付けられ、その先端部５１ｂが奥壁部１１ａに向けて斜め上方に延在して底壁部１１ｂの上面より上方に突出している。前記端子５１の先端部５１ｂは、接触部として機能し、カード１０１の下面に配設された端子部材としてのコンタクトパッドに接触して電気的に接続される。また、前記端子５１の根本部から延在するソルダーテール部５１ｃは、底壁部１１ｂの手前側の縁から前方に向けて突出し、前記電子機器における配線基板等に形成された信号線、コンタクトパッド、端子等、すなわち、相手側端子部材に、はんだ付等によって電気的に接続される。
【００２９】
さらに、前記底壁部１１ｂにおける端子５１の先端部５１ｂの下方に対応する部分には、底壁部１１ｂを厚さ方向に貫通する開口部１１ｆが形成されている。なお、該開口部１１ｆは、適宜省略することもできる。
【００３０】
そして、ハウジング１１は、底壁部１１ｂの一方の側縁に沿って前後方向に延在する断面Ｌ字状の側壁としての側壁部１１ｃを有する。該側壁部１１ｃの内側にはカード案内機構収容部１１ｄが形成され、該カード案内機構収容部１１ｄにカード用コネクタ１内に挿入されたカード１０１を案内するためのカード案内機構のスライド部材２１が前後方向にスライド可能に取付けられている。なお、スライド部材２１は、合成樹脂等の絶縁性材料によって一体的に成形されている。
【００３１】
そして、前記スライド部材２１は、その内側の側面から突出するように形成された第１係合部２１ａ及び第２係合部２１ｂを備える。該第１係合部２１ａ及び第２係合部２１ｂは、カード１０１の側面に形成された凹凸を含む係合部と係合する。そして、スライド部材２１は、第１係合部２１ａ及び第２係合部２１ｂによってカード１０１を保持し、該カード１０１とともに前後方向に移動する。
【００３２】
また、前記スライド部材２１には、圧縮された状態で付勢力を発揮するコイルスプリングとしての付勢部材８１の一端が係止されている。また、該付勢部材８１の他端は、奥壁部１１ａに係止されている。これにより、前記スライド部材２１は、付勢部材８１によって、カード１０１の挿入方向と反対の方向、すなわち、カード１０１の排出方向に付勢される。
【００３３】
そして、前記カード用コネクタ１は、該カード用コネクタ１内にカード１０１を挿入する際にも、カード用コネクタ１内からカード１０１を取出す際にも、カード１０１を押込む動作を必要とする、いわゆる、プッシュインプッシュアウトタイプ、又は、プッシュ／プッシュタイプと通称されるものである。このような動作は、押しボタンスイッチの分野におけるオルタネイト動作（位置保持型、プッシュオン・プッシュオフ型）と同様のものである。そして、前記スライド部材２１の上面に形成されたカム溝２３は、プッシュ／プッシュタイプの動作を行うためのハート状カムのカム機構におけるスライドカムとして機能する。
【００３４】
そのため、前記カム溝２３には固定カム部材としての細長いピン部材７１の自由端が係合している。また、該ピン部材７１の他端は、固定端として、ハウジング１１のカード案内機構収容部１１ｄ内における奥壁部１１ａ寄りの部分の上面に掛止され、ピボット結合されている。そして、前記ピン部材７１とカム溝２３とが協働することによって、カード１０１とともに移動するスライド部材２１にプッシュ／プッシュの動作を行わせるようになっている。これにより、前記カード案内機構は、カード１０１を挿入方向に押込むプッシュ動作によってカード１０１が挿入方向に移動して終端点まで到達すると、前記付勢部材８１の付勢力によって、前記カード１０１を終端点から挿入方向と反対の方向に移動させて排出することができる。
【００３５】
前記ピン部材７１は、シェル６１のピン押え部材６５によって上から下方向に付勢されることによって保持されている。該ピン押え部材６５は、シェル６１の一部をハウジング１１の底壁部１１ｂの方向に押圧可能に折曲げ加工することによって形成されたばね性を備える板状の部材であり、ピン部材７１は、前記ピン押え部材６５とスライド部材２１又はハウジング１１との間に位置し、スライド部材２１又はハウジング１１から離脱しないように保持されている。
【００３６】
また、前記シェル６１は、概略矩（く）形の天板部６２と、該天板部６２の側縁の複数箇所から立設する複数の側板部６４とを有する。該側板部６４には、複数の掛止開口６３が形成され、図１（ａ）に示されるように、シェル６１をハウジング１１の上側に取付けると、該ハウジング１１の側壁部１１ｃの外側面に形成された掛止突起１３に前記掛止開口６３が掛止され、これにより、シェル６１がハウジング１１に固定される。なお、前記シェル６１は、その下端の一部が前記電子機器における配線基板等に形成されたグランドライン、グランド端子等に、はんだ付等によって電気的に接続されてもよい。これにより、前記シェル６１の電磁シールド部材としての機能が良好となる。
【００３７】
そして、ハウジング１１の奥部には、カード１０１のコンタクトパッドと端子５１とが接触していることを検知して、カード１０１がカード用コネクタ１に装填されていることを検知する検知スイッチとしてのカード検知スイッチが配設されている。該カード検知スイッチは、奥壁部１１ａ及びその近傍に取付けられた第１接点部材５２及び第２接点部材５３を含んでいる。
【００３８】
前記第１接点部材５２は、奥壁部１１ａに取付けられた取付部５２ａと、基端が該取付部５２ａに接続され、横方向、すなわち、ハウジング１１の幅方向に向けて延出するカンチレバー状の本体部５２ｂと、該本体部５２ｂの自由端に接続された接触部５２ｃ及びカード当接部５２ｄとを有する。なお、前記取付部５２ａはハウジング１１に対して固定される固定部であり、前記本体部５２ｂ、接触部５２ｃ及びカード当接部５２ｄはハウジング１１に対して変位可能な可動部である。また、前記接触部５２ｃはカード当接部５２ｄの下端に接続されている。そして、前記取付部５２ａは奥壁部１１ａの側面とほぼ平行となり、本体部５２ｂは、カード１０１がカード用コネクタ１に挿入されていない状態においては、奥壁部１１ａの側面に対して傾斜し、接触部５２ｃ及びカード当接部５２ｄは、カード１０１の挿入方向に関して手前側に向けて突出するように配設されている。そのため、カード１０１が挿入されると、該カード１０１の前端がカード当接部５２ｄに当接する。
【００３９】
一方、前記第２接点部材５３は、底壁部１１ｂにおける奥壁部１１ａ寄りの部分に取付けられた取付部５３ａ、基端が該取付部５３ａに接続され側壁部１１ｃの方向に向けて延出するカンチレバー状の本体部５３ｂ、及び、該本体部５３ｂの自由端に接続された接触部５３ｃを有する。なお、前記取付部５３ａはハウジング１１に対して固定される固定部であり、前記本体部５３ｂ及び接触部５３ｃはハウジング１１に対して変位可能な可動部である。そして、前記第２接点部材５３は、第１接点部材５２よりも下側に、かつ、奥壁部１１ａに近接して配設されている。
【００４０】
そのため、カード１０１が挿入されていない状態においては、第１接点部材５２と第２接点部材５３とは非接触であり、カード検知スイッチは非導通状態、すなわち、オフ（ＯＦＦ）になっている。
【００４１】
しかし、カード１０１が挿入され、そのコンタクトパッドと端子５１とが接触する位置に到達すると、カード１０１の前端によって第１接点部材５２のカード当接部５２ｄが奥壁部１１ａの方向に向けて押されて変位し、接触部５２ｃが第２接点部材５３の接触部５３ｃに接触する。これにより、第１接点部材５２と第２接点部材５３とが接触し、カード検知スイッチは導通状態、すなわち、オン（ＯＮ）になる。
【００４２】
なお、第１接点部材５２及び第２接点部材５３は、図１（ａ）に示されるように、シェル６１をハウジング１１の上側に取付けられた状態であっても、シェル６１に接触しないように配設されている。
【００４３】
本実施の形態においては、カード検知スイッチとして機能する前記第１接点部材５２及び第２接点部材５３の少なくとも一方が、その可動部においてハウジング１１と凹凸嵌合するようになっている。これにより、前記可動部が本来の変位方向以外の方向に変位することが防止されるので、カード用コネクタ１が衝撃、振動等を受けた場合であっても、第１接点部材５２及び第２接点部材５３が互いに絡合ったり、シェル６１に接触したりしてしまうことがない。
【００４４】
図に示される例においては、第１接点部材５２の本体部５２ｂには、接点部材側嵌合部として、本体部５２ｂを板厚方向に貫通する嵌合孔（こう）５５ａが形成されている。また、奥壁部１１ａには、ハウジング側嵌合部として、カード１０１の挿入方向に関して手前側に向けて突出する嵌合突起１５ａが一体的に形成されている。そして、該嵌合突起１５ａが第１接点部材５２の嵌合孔５５ａに嵌入するようになっている。つまり、第１接点部材５２には嵌合凹部である嵌合孔５５ａが形成され、ハウジング１１には嵌合凸部である嵌合突起１５ａが形成され、第１接点部材５２がその可動部においてハウジング１１と凹凸嵌合するようになっている。
【００４５】
次に、前記構成のカード用コネクタ１の動作について説明する。ここでは、第１接点部材５２とハウジング１１との凹凸嵌合の動作について説明する。
【００４６】
図２は本発明の第１の実施の形態における第１接点部材とハウジングとの凹凸嵌合の一連の動作を示す斜視図、図３は本発明の第１の実施の形態における第１接点部材とハウジングとの凹凸嵌合の一連の動作を示す要部拡大図である。なお、図２及び３において、（ａ）はオーバーストローク位置の状態、（ｂ）はロック位置の状態、（ｃ）はカード仮保持位置の状態を示し、図２において、添字の１はシェル及びカードを取除いた状態を示し、添字の２はシェルを取除いた状態を示している。
【００４７】
まず、利用者が手指等によってカード１０１をカード用コネクタ１の前方から挿入する。なお、カード１０１は、前端がハウジング１１の奥壁部１１ａの方を向き、コンタクトパッドの配設された面が底壁部１１ｂと対向し、コンタクトパッドの配設されていない面がシェル６１の天板部６２と対向するような姿勢で挿入される。これにより、カード１０１は、係合部としての凸部及び凹部が形成された側面がハウジング１１の側壁部１１ｃに沿って進行する。
【００４８】
続いて、利用者がカード１０１をプッシュして更に押込むと、カード１０１は、図２（ｃ−１）に示されるように、カード仮保持位置を通過する。なお、該カード仮保持位置は、カード１０１がカード用コネクタ１から排出されるときに、スライド部材２１が停止する位置であって、スライド部材２１の第１係合部２１ａ及び第２係合部２１ｂとカード１０１の係合部との係合が緩いものとなり、カード１０１は、スライド部材２１によって一応保持されてはいるものの、利用者が手指等によってカード１０１を引けば、強い引張力が付与されなくても、スライド部材２１による保持が解除されて取出される状態となる位置である。
【００４９】
そして、カード仮保持位置では、カード１０１のコンタクトパッドは端子５１の先端部５１ｂに接触しておらず、また、カード１０１の前端は第１接点部材５２のカード当接部５２ｄに当接していない。したがって、カード検知スイッチは初期状態としての非導通状態、すなわち、オフになっている。
【００５０】
また、初期状態では、第１接点部材５２の本体部５２ｂが奥壁部１１ａの側面に対して傾斜して大きく離間しているので、図３（ｃ）に示されるように、嵌合突起１５ａは嵌合孔５５ａに嵌入していない。そのため、第１接点部材５２のハウジング１１への取付作業を容易に行うことができ、カード用コネクタ１の組立時間を短縮することができ、製造コストを抑制することができる。これは、第１接点部材５２のハウジング１１への取付作業では、第１接点部材５２を上方からハウジング１１に対して移動させ、取付部５２ａを奥壁部１１ａに形成された溝内に上方から圧入するので、嵌合突起１５ａの突出量が小さく、初期状態で嵌合孔５５ａに嵌入しない程度であると、第１接点部材５２をスムーズに移動させることができるからである。
【００５１】
もっとも、初期状態であっても、嵌合突起１５ａが嵌合孔５５ａに嵌入しているようにしてもよい。これにより、カード１０１が挿入されていない状態でカード用コネクタ１が衝撃、振動等を受けた場合であっても、第１接点部材５２が本来の変位方向以外の方向に変位することが防止される。
【００５２】
なお、前記嵌合孔５５ａを形成するために、第１接点部材５２の本体部５２ｂには下方に突出する突出部５２ｅが一体的に形成されている。一方、ハウジング１１の底壁部１１ｂには、前記突出部５２ｅを収容するために、凹部１１ｇが形成されている。この突出部５２ｅと凹部１１ｇを形成することによって第１接点部材５２の強度を保持しつつ、カードコネクタ１の低背化を図ることができる。なお、前記凹部１１ｇは、適宜省略することもできる。
【００５３】
続いて、利用者がカード１０１をプッシュして更に押込むと、カード１０１はスライド部材２１とともに奥壁部１１ａに向けて移動し、図２（ｂ−２）に示されるようなロック位置を通過する。この際、利用者の手指等が発揮する押圧力は、カード１０１の係合部から第１係合部２１ａを介してスライド部材２１に伝達される。そして、該スライド部材２１がコイルスプリングから成る付勢部材８１を圧縮するので、スライド部材２１及びカード１０１は、付勢部材８１の反発力を受けるが、該反発力が利用者の手指等が発揮する押圧力よりも小さいので、前記反発力に抗して移動する。
【００５４】
前記カード仮保持位置からロック位置までの行程の途中で、カード１０１のコンタクトパッドは、端子５１の先端部５１ｂに接触する。また、カード１０１の挿入方向の前面が第１接点部材５２のカード当接部５２ｄに当接し、該カード当接部５２ｄを奥壁部１１ａの方向に変位させる。これにより、第１接点部材５２の接触部５２ｃと第２接点部材５３の接触部５３ｃとが接触し、カード検知スイッチは導通状態、すなわち、オンになる。
【００５５】
そして、ロック位置においては、カード１０１のコンタクトパッドが端子５１の先端部５１ｂに接触している状態、及び、第１接点部材５２の接触部５２ｃと第２接点部材５３の接触部５３ｃとが接触している状態が維持されている。
【００５６】
また、ロック位置では、第１接点部材５２の本体部５２ｂが奥壁部１１ａの側面に接近しているので、図３（ｂ）に示されるように、嵌合突起１５ａが嵌合孔５５ａに嵌入している。そのため、第１接点部材５２の可動部が本来の変位方向（カード１０１の挿抜方向）以外の方向に変位することが防止されるので、カード用コネクタ１が衝撃、振動等を受けた場合であっても、第１接点部材５２及び第２接点部材５３が互いに絡合ったり、シェル６１に接触したりしてしまうことがない。
【００５７】
なお、本実施の形態において、第２接点部材５３の可動部は、ハウジング１１と凹凸嵌合するようになっていない。これは、第２接点部材５３の本体部５３ｂの長さが比較的短いので、カード用コネクタ１が衝撃、振動等を受けた場合であっても、第２接点部材５３の可動部が本来の変位方向（底壁部１１ｂに対して垂直な方向）以外の方向への変位量が小さいと考えられるからである。
【００５８】
続いて、利用者がカード１０１をプッシュして更に押込むと、カード１０１はスライド部材２１とともに奥壁部１１ａに向けて更に移動し、図２（ａ−２）に示されるように、最も前進した位置であるオーバーストローク位置に到達してオーバーストローク状態となる。
【００５９】
そして、オーバーストローク位置においても、カード１０１のコンタクトパッドが端子５１の先端部５１ｂに接触している状態、及び、第１接点部材５２の接触部５２ｃと第２接点部材５３の接触部５３ｃとが接触している状態が維持されている。
【００６０】
また、オーバーストローク位置では、第１接点部材５２の本体部５２ｂが奥壁部１１ａの側面に更に接近しているので、図３（ａ）に示されるように、嵌合突起１５ａが嵌合孔５５ａに嵌入している。そのため、第１接点部材５２の可動部が本来の変位方向以外の方向に変位することが防止されるので、カード用コネクタ１が衝撃、振動等を受けた場合であっても、第１接点部材５２及び第２接点部材５３が互いに絡合ったり、シェル６１に接触したりしてしまうことがない。
【００６１】
続いて、利用者がカード１０１をプッシュする動作を止め、該カード１０１に対する押圧力を解除すると、付勢部材８１の反発力によって、スライド部材２１及びカード１０１は奥壁部１１ａから離脱する向きに移動させられる。そして、スライド部材２１及びカード１０１は、カード用コネクタ１内でカード１０１をロックした状態で保持するロック位置で停止する。これは、スライド部材２１の上面に形成されたカム溝２３と係合しているピン部材７１の自由端が、カム溝２３の一部に掛止されてスライド部材２１の動きを停止させることによって、スライド部材２１を前記ロック位置で停止させているからである。
【００６２】
そして、カード１０１は、ロック位置に保持されることによって、カード用コネクタ１が実装された基板を備える電子機器の演算手段等との間でデータの送受信を行うことができる状態となる。なお、カード１０１がロック位置に保持されている場合、カード１０１のコンタクトパッドは、端子５１の先端部５１ｂと接触して導通している。また、図２（ｂ−１）に示されるように、第１接点部材５２の接触部５２ｃと第２接点部材５３の接触部５３ｃとが接触している状態が維持され、カード検知スイッチはオンになっている。さらに、カード１０１が少なくともロック位置とオーバーストローク位置との間にあるときは、嵌合突起１５ａが嵌合孔５５ａに嵌入しているので、第１接点部材５２及び第２接点部材５３が互いに絡合ったり、シェル６１に接触したりすることが確実に防止される。
【００６３】
次に、カード１０１をカード用コネクタ１から排出させる場合には、まず、利用者が手指等によってカード１０１をプッシュして押込むと、スライド部材２１及びカード１０１は、ロック位置から奥壁部１１ａに向けて移動させられ、最も前進した位置であるオーバーストローク位置に到達してオーバーストローク状態となる。
【００６４】
続いて、利用者がカード１０１をプッシュする動作を止め、該カード１０１に対する押込力を解除すると、付勢部材８１の付勢力によって、オーバーストローク位置に位置しているスライド部材２１及びカード１０１は、奥壁部１１ａから離脱する向きに移動させられ、挿入方向と反対の方向に移動させられる。そして、スライド部材２１及びカード１０１は、付勢部材８１の付勢力によって手前側に向けて移動し、ロック位置を通過し、カード１０１の挿入方向と反対の方向に向けて更に移動する。
【００６５】
なお、カード１０１を排出させる場合の動作におけるその他の点については、カード１０１を挿入する場合の動作と反対であるので、説明を省略する。
【００６６】
また、本実施の形態においては、カード検知スイッチが、カード１０１が挿入されると、第１接点部材５２と第２接点部材５３とが接触して導通状態、すなわち、オンになるタイプである場合についてのみ説明したが、前記カード検知スイッチは、カード１０１が挿入されると、第１接点部材５２と第２接点部材５３とが離間して非導通状態、すなわち、オフになるタイプであってもよい。つまり、前記カード検知スイッチは、カード１０１が挿入されると、その導通状態が初期状態から変化し、それによってカード１０１のハウジング１１への挿入を検知するものであれば、いかなる種類のものであってもよい。
【００６７】
さらに、本実施の形態においては、第１接点部材５２及び第２接点部材５３がハウジング１１の奥側に配設され、カード１０１の前端によって第１接点部材５２が変位させられるものである場合についてのみ説明したが、第１接点部材５２及び第２接点部材５３がハウジング１１の側縁に配設され、カード１０１の側端によって第１接点部材５２が変位させられるものであってもよい。
【００６８】
このように、本実施の形態におけるカード用コネクタ１では、端子部材を備えるカード１０１を収容するハウジング１１と、ハウジング１１に取付けられ、カード１０１の端子部材と接触する端子５１と、互いに接離してカード１０１がハウジング１１に挿入されたことを検知する第１接点部材５２及び第２接点部材５３を備えるカード検知スイッチとを有する。そして、第１接点部材５２及び第２接点部材５３の少なくとも一方は、ハウジング１１に固定される固定部と、ハウジング１１に対して変位可能であって、ハウジング１１と凹凸嵌合する可動部とを備える。これにより、カード用コネクタ１が衝撃、振動等を受けた場合であっても、第１接点部材５２及び第２接点部材５３が互いに絡合ったりすることがなく、簡素な構造でありながら、カード１０１を確実に検出することができ、かつ、誤作動がない。また、部品点数の増加を防止することができ、製作を容易化することができ、製造コストを低減し、信頼性を向上させることができる。
【００６９】
また、可動部は、カード１０１が少なくともロック位置とオーバーストローク位置との間にあるときはハウジング１１と凹凸嵌合する。したがって、カード１０１がハウジング１１に収容されているときは、カード用コネクタ１が衝撃、振動等を受けても、第１接点部材５２及び第２接点部材５３が互いに絡合ったりすることを確実に防止することができる。
【００７０】
次に、本発明の第２及び第３の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７１】
図４は本発明の第２及び第３の実施の形態における第１接点部材とハウジングとの凹凸嵌合の構造を示す斜視図である。図において、（ａ）は本発明の第２の実施の形態を示し、（ｂ）は本発明の第３の実施の形態を示し、添字の１は要部拡大図を示し、添字の２は全体図を示している。
【００７２】
図４（ａ）に示されるように、第２の実施の形態において、第１接点部材５２の本体部５２ｂには、接点部材側嵌合部である嵌合凹部として、本体部５２ｂを板厚方向に貫通し、かつ、本体部５２ｂの上端縁に開口するＵ字状の切欠き５５ｂが形成されている。また、奥壁部１１ａには、ハウジング側嵌合部である嵌合凸部として、カード１０１の挿入方向に関して手前側に向けて突出する嵌合突起１５ｂが、前記切欠き５５ｂと対応する位置に、一体的に形成されている。そして、前記嵌合突起１５ｂが第１接点部材５２の切欠き５５ｂに嵌入するようになっている。
【００７３】
また、第２の実施の形態においては、嵌合孔５５ａを形成する必要がないので、第１接点部材５２の本体部５２ｂには突出部５２ｅが存在しない。これにより、前記本体部５２ｂは、その下端が直線状でスムーズな形状を備え、全体として簡素な形状となっている。したがって、第１接点部材５２の製造コストを低減することができる。また、ハウジング１１の底壁部１１ｂにも、前記突出部５２ｅを収容するための凹部１１ｇを形成する必要がない。したがって、ハウジング１１の底壁部１１ｂの形状を簡素化することができ、ハウジング１１の製造コストを低減することができる。
【００７４】
なお、第２の実施の形態においては、切欠き５５ｂの上端が開口しているので、嵌合突起１５ｂが切欠き５５ｂに嵌入しても、第１接点部材５２の可動部が下方向（底壁部１１ｂに接近する方向）に変位すること自体は、防止し得ない。しかし、第１接点部材５２の可動部が上方向（シェル６１に接近する方向）に変位することは防止されているので、第１接点部材５２の可動部が上下方向に振動した場合でも、その振幅が抑制されるので、第１接点部材５２及び第２接点部材５３が互いに絡合うことが、かなりの程度、防止される。また、第１接点部材５２及び第２接点部材５３がシェル６１に接触したりしてしまうことは、確実に防止される。
【００７５】
第２の実施の形態におけるその他の点の構成及び動作については、前記第１の実施の形態と同様であるので、その説明を省略する。
【００７６】
また、図４（ｂ）に示されるように、第３の実施の形態において、第１接点部材５２の本体部５２ｂには、接点部材側嵌合部である嵌合凹部として、本体部５２ｂを板厚方向に貫通し、かつ、本体部５２ｂの上端縁に開口する浅い矩形の切欠き５５ｃが形成されている。また、奥壁部１１ａには、ハウジング側嵌合部である嵌合凸部として、カード１０１の挿入方向に関して手前側に向けて突出する嵌合突起１５ｃが、前記切欠き５５ｃと対応する位置に、一体的に形成されている。そして、前記嵌合突起１５ｃが第１接点部材５２の切欠き５５ｃに嵌入するようになっている。
【００７７】
第３の実施の形態が前記第２の実施の形態と相違する点は、切欠き５５ｃの形状が浅い矩形である点、及び、嵌合突起１５ｃの断面形状が、切欠き５５ｃの形状に対応するように、矩形である点である。そして、その他の点の構成及び動作については、前記第２の実施の形態と同様であるので、その説明を省略する。
【００７８】
このように、本発明の第２及び第３の実施の形態において、可動部は、ハウジング１１と凹凸嵌合することによって、少なくともシェル６１に接近する方向に変位することが防止される。したがって、第１接点部材５２又は第２接点部材５３がシェル６１に接触してしまうことが確実に防止される。
【００７９】
次に、本発明の第４〜第７の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００８０】
図５は本発明の第４及び第５の実施の形態における第１接点部材とハウジングとの凹凸嵌合の構造を示す斜視図、図６は本発明の第６及び第７の実施の形態における第１接点部材とハウジングとの凹凸嵌合の構造を示す斜視図である。図５において、（ａ）は本発明の第４の実施の形態を示し、（ｂ）は本発明の第５の実施の形態を示し、図６において、（ａ）は本発明の第６の実施の形態を示し、（ｂ）は本発明の第７の実施の形態を示し、図５及び６において、添字の１は要部拡大図を示し、添字の２は全体図を示している。
【００８１】
第４〜第７の実施の形態においては、第１接点部材５２の本体部５２ｂには、接点部材側嵌合部としての嵌合凸部が形成され、奥壁部１１ａには、ハウジング側嵌合部としての嵌合凹部が形成されている。
【００８２】
図５（ａ）に示されるように、第４の実施の形態において、第１接点部材５２の本体部５２ｂの上端縁には、嵌合凸部としての嵌合突起５６ａが一体的に接続されている。該嵌合突起５６ａは、本体部５２ｂの上端縁に接続された基端の近傍が折曲げられ、先端が本体部５２ｂの表面に対してほぼ直交し、かつ、奥壁部１１ａを向くように形成されている。したがって、嵌合突起５６ａは、本体部５２ｂの上端縁よりも上方に突出するように形成されている。
【００８３】
また、奥壁部１１ａには、嵌合凹部としての嵌合孔１６ａが、前記嵌合突起５６ａと対応する位置に、奥壁部１１ａを板厚方向に貫通するように形成されている。なお、前記嵌合孔１６ａを形成するために、奥壁部１１ａには上方に突出する突出部１１ｈが一体的に形成されている。そして、第１接点部材５２の嵌合突起５６ａが、奥壁部１１ａの嵌合孔１６ａに嵌入するようになっている。
【００８４】
これにより、第１接点部材５２の可動部が本来の変位方向以外の方向に変位することが防止されるので、カード用コネクタ１が衝撃、振動等を受けた場合であっても、第１接点部材５２及び第２接点部材５３が互いに絡合ったり、シェル６１に接触したりしてしまうことがない。
【００８５】
第４の実施の形態におけるその他の点の構成及び動作については、前記第１の実施の形態と同様であるので、その説明を省略する。
【００８６】
また、図５（ｂ）に示されるように、第５の実施の形態において、第１接点部材５２の本体部５２ｂには上端縁から下方向に向う切込み５２ｆが形成され、該切込み５２ｆの下端部分、すなわち、本体部５２ｂにおける上下方向中間付近で、嵌合凸部としての嵌合突起５６ｂが本体部５２ｂに一体的に接続されている。前記嵌合突起５６ｂは、本体部５２ｂに接続された基端の近傍が折曲げられ、先端が本体部５２ｂの表面に対してほぼ直交し、かつ、奥壁部１１ａを向くように形成されている。したがって、嵌合突起５６ｂは、本体部５２ｂの上端縁よりも上方に突出しないように形成されている。
【００８７】
また、奥壁部１１ａには、嵌合凹部としての嵌合孔１６ｂが、前記嵌合突起５６ｂと対応する位置に、奥壁部１１ａを板厚方向に貫通するように形成されている。なお、前記嵌合突起５６ｂが本体部５２ｂの上端縁よりも上方に突出しないので、上方に突出する突出部１１ｈを形成しなくても、嵌合孔１６ｂを形成することができる。したがって、突出部１１ｈを形成する必要がないので、奥壁部１１ａの形状を簡素化することができ、ハウジング１１の製造コストを低減することができる。また、奥壁部１１ａを低背化することができ、その結果、ハウジング１１を低背化することができ、さらに、カード用コネクタ１全体を低背化することができる。
【００８８】
第５の実施の形態におけるその他の点の構成及び動作については、前記第４の実施の形態と同様であるので、その説明を省略する。
【００８９】
また、図６（ａ）に示されるように、第６の実施の形態において、第１接点部材５２の本体部５２ｂには下端縁から上方向に向う切込み５２ｇが形成され、該切込み５２ｇの上端部分、すなわち、本体部５２ｂにおける上下方向中間付近で、嵌合凸部としての嵌合突起５６ｃが本体部５２ｂに一体的に接続されている。前記嵌合突起５６ｃは、本体部５２ｂに接続された基端の近傍が折曲げられ、先端が本体部５２ｂの表面に対してほぼ直交し、かつ、奥壁部１１ａを向くように形成されている。したがって、嵌合突起５６ｃは、本体部５２ｂの下端縁よりも下方に突出しないように形成されている。また、奥壁部１１ａには、嵌合凹部としての嵌合孔１６ｃが、前記嵌合突起５６ｃと対応する位置に、奥壁部１１ａを板厚方向に貫通するように形成されている。
【００９０】
第６の実施の形態が前記第５の実施の形態と相違する点は、切込み５２ｇ及び嵌合突起５６ｃ並びに嵌合孔１６ｃの位置が、切込み５２ｆ及び嵌合突起５６ｂ並びに嵌合孔１６ｂの位置に対して、上下逆になっている点である。そして、その他の点の構成及び動作については、前記第５の実施の形態と同様であるので、その説明を省略する。
【００９１】
また、図６（ｂ）に示されるように、第７の実施の形態において、第１接点部材５２の本体部５２ｂには下端縁から上方向に向う切込み５２ｈが形成され、該切込み５２ｈの自由端側部分で、嵌合凸部としての嵌合突起５６ｄが本体部５２ｂに一体的に接続されている。前記嵌合突起５６ｄは、本体部５２ｂに接続された基端の近傍が折曲げられ、先端が本体部５２ｂの表面に対してほぼ直交し、かつ、奥壁部１１ａを向くように形成されている。したがって、嵌合突起５６ｄは、本体部５２ｂの下端縁よりも下方に突出しないように形成されている。また、奥壁部１１ａには、嵌合凹部としての嵌合孔１６ｄが、前記嵌合突起５６ｄと対応する位置に、奥壁部１１ａを板厚方向に貫通するように形成されている。
【００９２】
第７の実施の形態が前記第６の実施の形態と相違する点は、切込み５２ｈ、嵌合突起５６ｄ及び嵌合孔１６ｄの形状が、切込み５２ｇ、嵌合突起５６ｃ及び嵌合孔１６ｃの形状と相違する点である。そして、その他の点の構成及び動作については、前記第６の実施の形態と同様であるので、その説明を省略する。
【００９３】
次に、本発明の第８及び第９の実施の形態について説明する。なお、第１〜第７の実施の形態と同じ構造を有するものについては、同じ符号を付与することによってその説明を省略する。また、前記第１〜第７の実施の形態と同じ動作及び同じ効果についても、その説明を省略する。
【００９４】
図７は本発明の第８及び第９の実施の形態における第１接点部材及び第２接点部材とハウジングとの凹凸嵌合の構造を示す斜視図である。図において、（ａ）は本発明の第８の実施の形態を示し、（ｂ）は本発明の第９の実施の形態を示し、添字の１は要部拡大図を示し、添字の２は全体図を示している。
【００９５】
図７（ａ）に示されるように、第８の実施の形態においては、第１接点部材５２及び第２接点部材５３の両方が、その可動部においてハウジング１１と凹凸嵌合するようになっている。これにより、第１接点部材５２及び第２接点部材５３の両方の可動部が本来の変位方向以外の方向に変位することが防止されるので、カード用コネクタ１が衝撃、振動等を受けた場合であっても、第１接点部材５２及び第２接点部材５３が互いに絡合ったり、シェル６１に接触したりしてしまうことが確実に防止される。
【００９６】
図７（ａ）に示される例においては、第１接点部材５２には前記第１の実施の形態と同様の嵌合孔５５ａが形成され、ハウジング１１には前記第１の実施の形態と同様の嵌合突起１５ａが形成され、第１接点部材５２がその可動部においてハウジング１１と凹凸嵌合するようになっている。つまり、第１接点部材５２がその可動部においてハウジング１１と凹凸嵌合する構成及び動作については、前記第１の実施の形態と同様であるので、その説明を省略する。
【００９７】
また、第２接点部材５３の本体部５３ｂと接触部５３ｃとの接続部分には、接点部材側嵌合部として、前記接続部分を板厚方向に貫通する嵌合孔５７が形成されている。また、底壁部１１ｂには、ハウジング側嵌合部として、底壁部１１ｂの上面から上方向に向けて突出する嵌合突起１７が一体的に形成されている。そして、該嵌合突起１７が第２接点部材５３ａの嵌合孔５７に嵌入するようになっている。つまり、第２接点部材５３には嵌合凹部である嵌合孔５７が形成され、ハウジング１１には嵌合凸部である嵌合突起１７が形成され、第２接点部材５３がその可動部においてハウジング１１と凹凸嵌合するようになっている。
【００９８】
したがって、第２接点部材５３の可動部が本来の変位方向（底壁部１１ｂに対して垂直な方向）以外の方向に変位することが防止されるので、カード用コネクタ１が衝撃、振動等を受けた場合であっても、第１接点部材５２及び第２接点部材５３が互いに絡合ったり、シェル６１に接触したりしてしまうことがない。
【００９９】
第８の実施の形態におけるその他の点の構成及び動作については、前記第１の実施の形態と同様であるので、その説明を省略する。
【０１００】
また、図７（ｂ）に示されるように、第９の実施の形態において、前記第２接点部材５３が有するカンチレバー状の本体部５３ｂは、カード１０１がカード用コネクタ１に挿入されていない状態においては、奥壁部１１ａの側面に対して傾斜し、カード１０１の挿抜方向に変位するようになっている。なお、前記本体部５３ｂが基端から自由端へ延在する方向は、図において左から右へ向う方向であり、第１接点部材５２の本体部５２ｂが基端から自由端へ延在する方向（図において右から左へ向う方向）と反対である。そして、第２接点部材５３の接触部５３ｃは、第１接点部材５２の接触部５２ｃと奥壁部１１ａとの間に位置し、第２接点部材５３の取付部５３ａは奥壁部１１ａに固定される。
【０１０１】
なお、第９の実施の形態における第１接点部材５２の接触部５２ｃは、本体部５２ｂとほぼ同じ幅の板部材であり、本体部５２ｂの自由端近傍をわずかに曲げることによって形成されている。また、前記第１接点部材５２は、カード当接部５２ｄを有しておらず、接触部５２ｃがカード当接部５２ｄとしても機能する。
【０１０２】
カード１０１が挿入されていない状態においては、図７（ｂ）に示されるように、第１接点部材５２の接触部５２ｃと第２接点部材５３の接触部５３ｃとは非接触である。しかし、カード１０１が挿入され、そのコンタクトパッドと端子５１とが接触する位置に到達すると、カード１０１の前端によって第１接点部材５２の接触部５２ｃが奥壁部１１ａの方向に向けて押されて変位し、接触部５２ｃの奥壁部１１ａ側の面が第２接点部材５３の接触部５３ｃに接触する。そして、カード１０１が更に押込まれると、第２接点部材５３の接触部５３ｃも、第１接点部材５２の接触部５２ｃによって押されることにより、第１接点部材５２の接触部５２ｃと重なり合うようにして、奥壁部１１ａの方向に向けて押されて変位する。
【０１０３】
また、奥壁部１１ａの上端には、ハウジング側嵌合部である嵌合凸部として、カード１０１の挿入方向に関して手前側に向けて突出する嵌合突起１８が、第１接点部材５２の接触部５２ｃ及び第２接点部材５３の接触部５３ｃと対応する位置に、一体的に形成されている。そして、カード１０１の前端によって奥壁部１１ａの方向に向けて押されて変位した第１接点部材５２の接触部５２ｃ及び第２接点部材５３の接触部５３ｃが、嵌合突起１８の下方の空間に嵌入するようになっている。つまり、第１接点部材５２の接触部５２ｃの上端及び第２接点部材５３の接触部５３ｃの上端が嵌合凹部として機能し、また、ハウジング１１には嵌合凸部である嵌合突起１８が形成され、第１接点部材５２及び第２接点部材５３がその可動部においてハウジング１１と凹凸嵌合するようになっている。
【０１０４】
第９の実施の形態におけるその他の点の構成及び動作については、前記第８の実施の形態と同様であるので、その説明を省略する。
【０１０５】
なお、本発明は前記実施の形態に限定されるものではなく、本発明の趣旨に基づいて種々変形させることが可能であり、それらを本発明の範囲から排除するものではない。
【産業上の利用可能性】
【０１０６】
本発明は、カード用コネクタに適用することができる。
【符号の説明】
【０１０７】
１    カード用コネクタ
１１    ハウジング
１１ａ    奧壁部
１１ｂ    底壁部
１１ｃ    側壁部
１１ｄ    カード案内機構収容部
１１ｅ    端子保持部
１１ｆ    開口部
１１ｇ    凹部
１１ｈ、５２ｅ    突出部
１３    掛止突起
１５ａ、１５ｂ、１５ｃ、１７、１８、５６ａ、５６ｂ、５６ｃ、５６ｄ    嵌合突起
１６ａ、１６ｂ、１６ｃ、１６ｄ、５５ａ、５７    嵌合孔
２１    スライド部材
２１ａ    第１係合部
２１ｂ    第２係合部
２３    カム溝
５１、８５１    端子
５１ａ    基部
５１ｂ    先端部
５１ｃ    ソルダーテール部
５２    第１接点部材
５２ａ、５３ａ    取付部
５２ｂ、５３ｂ    本体部
５２ｃ、５３ｃ    接触部
５２ｄ    カード当接部
５２ｆ、５２ｇ、５２ｈ    切込み
５３    第２接点部材
５５ｂ、５５ｃ    切欠き
６１    シェル
６２    天板部
６３    掛止開口
６４    側板部
６５    ピン押え部材
７１    ピン部材
８１    付勢部材
１０１    カード
８１１    絶縁性ハウジング
８１１ａ    奥壁
８１１ｃ    側壁
８２１    スライダ
８５２    第１可動接点部材
８５３    第２可動接点部材
８８１    コイルスプリング
【図１】
2011124001.tif 000003
【図２】
2011124001.tif 000004
【図３】
2011124001.tif 000005
【図４】
2011124001.tif 000006
【図５】
2011124001.tif 000007
【図６】
2011124001.tif 000008
【図７】
2011124001.tif 000009
【図８】
2011124001.tif 000010